(57)【特許請求の範囲】
【請求項１】
略半筒状とされた両側一対のカバ−部材よりなり、該各カバ−部材はその長手方向に沿ってその一端部が弾性ヒンジを介して開閉自在に連結されると共に、同他端部が凸条係合片と凹条係合溝とよりなる係着部材を介して係着自在とされ、かつ、各カバ−部材の内周面には各々シ−ル材が設けられ、間接活線把持工具でもって挟持せしめつつ架空配電線に取付けるべく構成されてなる電線補修用カバ−において、上記係着部材を構成する凸条係合片と凹条係合溝とが係着時の変形を防止せしめるべくその一方の内側部位に補強用の突片状リブが径方向に向けて突設されると共に、同他方の内側部位には該リブを嵌合当接せしめる嵌合溝を備えた補強用の略方形体状リブが径方向に向けて突設され、しかも、両側カバ−部材の外周面には間接活線把持工具の把持片に外嵌せしめて保持せしめるべく可撓性保持環が各々突設されてなることを特徴とする、電線補修用カバ−。
【請求項２】
保持環の基端部に把持片を掛止せしめるべく掛止段部が形成されてなることを特徴とする、請求項１記載の電線補修用カバ−。
【請求項３】
請求項１記載の電線補修用カバ−をその保持環でもって間接活線把持工具の把持片に各々外嵌状に保持せしめると共にヒンジの弾性力を利用して略半開状に仮止め保持せしめつつ、シ−ル材を架空配電線に外嵌状に当てがうと共に、把持片を閉作動せしめて両側のカバ−部材を係着部材でもって係着せしめることを特徴とする、電線補修用カバ−の取付け方法。
【発明の詳細な説明】
【０００１】
【発明の属する技術分野】
本発明は、間接活線工法により架空配電線の芯線露出部などに取付けて使用する電線補修用カバ−、及びその取付け方法に関する。
【０００２】
【従来の技術】
従来より、例えば、架空配電線に事故が生じた場合などにおける架空配電線工事においては、安全確保のために工事個所を無電圧状態にせしめる必要があるも、工事個所以外の送電を停止せしめることが出来ないものである。このため、一般に工事個所を挟んでバイパス工事終了後にバイパスケ−ブルでもって繋れたクランプを取付けるべく、架空配電線の被覆を剥がした個所、また、クランプに絶縁被膜を貫通する刃型電極を設けた場合における残留貫通個所など架空配電線の芯線露出部を補修せしめる必要があるものである。
【０００３】
ところで、かかる目的に使用される電線補修用カバ−としては、例えば、特開平８−９８３６３号公報（特許文献１）に開示されているように、略半筒状とされた両側一対のカバ−部材よりなり、該各カバ−部材はその長手方向に沿ってその一端部が弾性ヒンジを介して開閉自在に連結されると共に、同他端部が係着部材を介して係着自在とされ、かつ、各カバ−部材の内周面には各々シ−ル材が設けられ、ヤットコ等所要の間接活線把持工具でもって挟持せしめつつ架空配電線に取付けるべく構成されたものが知られている。
そして、上述の如く構成された従来の電線補修用カバ−は、両側のカバ−部材を間接活線把持工具の把持片間にヒンジの弾力性を利用して略半開状に仮止め保持せしめつつ、シ−ル材を架空配電線の芯線露出個所に外嵌状に当てがうと共に、把持片を閉作動せしめて両側のカバ−部材を係着部材でもって係着せしめることにより取付けるものとされている。
【０００４】
【発明が解決しようとする課題】
ところで、上述の如く構成された従来の電線補修用カバ−は、架空配電線の外径が比較的小径の場合にはその取付けを確実に行なうことが出来るものである。しかしながら、電線補修用カバ−の内径に近似する比較的大径の架空配電線に取付ける場合においては、把持片の挟圧により次第にシ−ル材が架空配電線をカバ−部材の係着側に押圧し、係着部材を外方に向けて変形せしめやすいものである。このため、係着部材による係着が非常にしずらいのみならず、場合によっては係着不能となりやすいものである。特に、両側にヒレを有する難着雪用絶縁電線の場合には尚更である。
【０００５】
また、従来の電線補修用カバ−は、ヤットコ等所要の間接活線把持工具により把持せしめるべく両側カバ−部材の係着側外周面に突片が設けられているものである。このため、例えば、補修せしめた架空配電線の近くで建設作業等が行われている場合などにおいて、架空配電線の補修個所を防護せしめるべくポリ管や耐摩耗防護管を挿入せしめる際には、両側カバ−部材に設けられた突片が邪魔となり、ポリ管等のスム−ズな挿入がしずらく、非常に手間がかかるのみならず、極めて煩しいものとなっていた。
【０００６】
【特許文献１】
特開平８−９８３６３号公報
【０００７】
本発明は従来の問題点を解決し、電線補修用カバ−の内径より小さい外径を有する架空配電線のみならず、近似する外径を有する架空配電線の場合においても常に確実に係着して取付けることが出来、また、架空配電線に取付けて補修せしめた際においてもポリ管等を容易に挿入して装着せしめることが出来る、電線補修用カバ−、及びその取付け方法を提供しようとするものである。
【０００８】
【課題を解決するための手段】
上記の目的を達成するため、本発明の請求項１記載の発明は、略半筒状とされた両側一対のカバ−部材よりなり、該各カバ−部材はその長手方向に沿ってその一端部が弾性ヒンジを介して開閉自在に連結されると共に、同他端部が凸条係合片と凹条係合溝とよりなる係着部材を介して係着自在とされ、かつ、各カバ−部材の内周面には各々シ−ル材が設けられ、間接活線把持工具でもって挟持せしめつつ架空配電線に取付けるべく構成されてなる電線補修用カバ−において、上記係着部材を構成する凸条係合片と凹条係合溝とが係着時の変形を防止せしめるべくその一方の内側部位に補強用の突片状リブが径方向に向けて突設されると共に、同他方の内側部位には該リブを嵌合当接せしめる嵌合溝を備えた補強用の略方形体状リブが径方向に向けて突設され、しかも、両側カバ−部材の外周面には間接活線把持工具の把持片に外嵌せしめて保持せしめるべく可撓性保持環が各々突設されてなることを特徴とする、電線補修用カバ−を要旨とするものである。
【０００９】
請求項２記載の発明は、保持環の基端部に把持片を掛止せしめるべく掛止段部が形成されてなることを特徴とする、請求項１記載の電線補修用カバ−を要旨とするものである。
【００１０】
請求項３記載の発明は、請求項１記載の電線補修用カバ−をその保持環でもって間接活線把持工具の把持片に各々外嵌状に保持せしめると共にヒンジの弾性力を利用して略半開状に仮止め保持せしめつつ、シ−ル材を架空配電線に外嵌状に当てがうと共に、把持片を閉作動せしめて両側のカバ−部材を係着部材でもって係着せしめることを特徴とする、電線補修用カバ−の取付け方法を要旨とするものである。
【００１１】
【発明の実施の形態】
以下に、本発明の実施の形態を図面に示す一実施例に基づいて説明する。
図１乃至図７は本発明の一実施例を示すもので、同図中、１ｂは絶縁プラスチック製電線補修用カバ−、２は該電線補修用カバ−１ｂを構成する両端部が各々テ−パ状とされた両側一対の略半筒状カバ−部材、３は両側の該カバ−部材２どうしを開閉自在に連結せしめるべく長手方向に沿ってその一端に一体形成された弾性ヒンジ、４は該ヒンジ３に対応すべく一方のカバ−部材２の自由端に沿って突設された凸条係合片、５は該凸条係合片４の上端部中央に外側方へ向けて突設された突片状の補助係合片、６は上記凸条係合片４を係合せしめるべく他方のカバ−部材２の自由端に沿って形成された凹条係合溝、７は上記補助係合片５を係合せしめるべく該凹条係合溝６の外側壁に形成された係合孔、２１は後記する間接活線把持工具１４の把持片１５を嵌合保持せしめるべく両側カバ−部材２の係着側外周面に各々突設された可撓性保持環、２２は該保持環２１の基端部に位置すべく両側カバ−部材２の外周面に形成されたテ−パ面状の掛止段部である。１０は両側カバ−部材２の長手方向に沿ってその内周面にスポンジ体を介して塗着されたパテ材など所要のシ−ル材である。
１１は係着時における上記凸条係合片４の変形を防止せしめるべく該凸条係合片４よりカバ−部材２にかけてその中央部内側部位に径方向へ向けて突設された補強用の突片状リブ、１２は該リブ１１に対応すべく凹条係合溝６の内側壁部位より径方向に向けてその中央部内側に突設された補強用の略方形体状リブ、１３は上記リブ１１を嵌合当接せしめるべく該リブ１２の中央部に切欠き形成された嵌合溝である。
その他、１４はヤットコ等の間接活線把持工具、１５は該間接活線把持工具１４を構成する両側の把持片である。１８はヒレ１９付き難着雪用架空配電線、２０は該難着雪用架空配電線１８の芯線露出部、２３はポリ管である。
【００１２】
そして、上述の如く構成された実施例は、図５及び図６に示すように、両側カバ−部材２を保持環２１でもって間接活線把持工具１４の把持片１５に各々外嵌状に嵌合保持せしめると共に、ヒンジ３の弾性力を利用して略半開状に仮止め保持せしめつつ、シ−ル材１０を難着雪用架空配電線１８の芯線露出部１９に当てがうと共に、把持片１５を閉作動せしめ、凸条係合片４及び補助係合片５を各々対応する凹条係合溝６・係合孔７に係合せしめることにより係着して取付ける。この際、凸条係合片４及び凹条係合溝６内側壁には各々嵌合当接自在なリブ１１・１２が突設せしめられているから、該リブ１１・１２に難着雪用架空配電線１８のヒレ１９を当てがいつつヒンジ３側方向に押戻すことが出来るため、凸条係合片４・補助係合片５を各々凹条係合溝６・係合孔７に常に確実に係着せしめることが出来るものである。また、保持環２１の基端部には掛止段部２２が形成されているから、掛止段部２２に把持片１５を掛止せしめることにより保持環２１とも相まって電線補修用カバ−１ｂを間接活線把持工具１４に確実にセットせしめ、その脱落を有効に防止せしめることが出来る。
【００１３】
なお、電線補修用カバ−１ｂの内径に近似する架空配電線に取付ける場合においても、説明は省略するが上記実施例と同様に確実に取付けることが出来るものである。
電線補修用カバ−１ｂの取付けが終了すると、保持環２１より把持片１５を各々解放せしめ、取付け作業を完了する。
【００１４】
そして、架空配電線・難着雪用架空配電線１８に取付けた電線補修用カバ−１ｂには、必要に応じてポリ管２３を挿入せしめる。この際、電線補修用カバ−１ｂの保持環２１は可撓性を有するものとされているから、ポリ管２３の内径に応じて適宜撓み、ポリ管２３を極めて容易に挿入して装着せしめることが出来るものである。なお、耐摩耗防護管についても図示はしないが同様に極めて容易に挿入して装着せしめることが出来る。
【００１５】
図８乃至図１５は本発明の保持環２１を除く構成部分を説明する参考例を示す電線補修用カバ−１ａで、両側カバ−部材２の外周面には保持環２１に代えて把持片１５を把持せしめるべく把持用突片８が各々突設されると共に、間接活線把持工具１４を所定位置に掛止せしめるべく該把持用突片８上に両側一対の掛止突条９が形成された点が上記実施例と相違し、他の部分は同一であり、同一符号は同一部分を示す。なお、図中、１６は架空配電線、１７は該架空配電線１６の芯線露出部を各々示す。
【００１６】
そして、上述の如く構成された実施例は、両側のカバ−部材２をその突片８でもって間接活線把持工具１４の把持片１５内面に当てがいつつヒンジ３の弾性力を利用して略半開状に拡開保持せしめる。この際、突片８には各々掛止突条９が突設されているから、把持片１５を掛止して確実に保持せしめることが出来るのみならず、脱落を有効に防止せしめることが出来るものである。ついで、シ−ル材１０を架空配電線１６の芯線露出部１７に外嵌状に当てがうと共に、把持片１５を閉作動せしめ、凸条係合片４及び補助係合片５を各々対応する凹条係合溝６と係合孔７に係合せしめることにより係着して取付ける。この際、架空配電線１６の線径が電線補修用カバ−１ａの内径に近似する場合においては、図１４に示すように、把持片１５の挟圧によりシ−ル材１０が架空配電線１６を係着側方向に押圧するも、凸条係合片４及び凹条係合溝６は各々嵌合当接するリブ１１・１２により補強せしめられるから外方に変形することなく、凸条係合片４・補助係合片５を対応する凹条係合溝６・係合孔７に各々確実に係合せしめることが出来るものである。また、カバ−部材２には凸条係合片４及び補助係合片５が形成されているから、両者が相まって両側のカバ−部材２を強固に係着せしめることが出来るものである。
【００１７】
なお、難着雪用架空配電線１８の芯線露出部２０に取付ける際においても、図１５に示すように、難着雪用架空配電線１８のヒレ１９をリブ１１・１２に当てがいつつヒンジ３側方向に押戻すことが出来るため、ヒレ１９に邪魔されることなく常に確実に凸条係合片４・補助係合片５を各々凹条係合溝６・係合孔７に各々係着せしめることが出来るものである。
【００１８】
なお、上記実施例において、リブ１１・１２は各々１個対設するものとされているが、これに限定されるものでなく、必要に応じてその個数を増加せしめてもよいものである。
【００１９】
【発明の効果】
請求項１記載の発明によれば以上の次第で、係着部材を構成する凸条係合片と凹条係合溝とが係着時の変形を防止せしめるべくその一方の内側部位に補強用の突片状リブが径方向に向けて突設されると共に、同他方の内側部位には該リブを嵌合当接せしめる嵌合溝を備えた補強用の略方形体状リブが径方向に向けて突設され、しかも、両側カバ−部材の外周面には各々可撓性保持環が突設されているから、電線補修用カバ−の内径より小さい外径を有する架空配電線のみならず、近似する外径を有する架空配電線の場合においても、係着部材は把持片の挟圧によりシ−ル部材を介して係着側方向に押圧移動する架空配電線に対して充分抗することが出来るものであって、外方に変形することなく常に確実に係合して係着せしめることが出来るものである。また、ヒレを備えた難着雪用架空配電線の場合においても、リブにヒレを当てがいつつヒンジ方向に押戻すことが出来るものであって、係着部材を常に確実に係合して係着せしめることが出来るものである。しかも、保持環を間接活線把持工具の把持片に外嵌せしめるという極めて簡単な操作でもって、電線補修用カバ−を間接活線把持工具に簡単に、しかも、確実にセットせしめることが出来るものである。また、所要の架空配電線に取付けた電線補修用カバ−にポリ管等を取付ける際においても、保持環が可撓性を有するものとされているから、ポリ管等の内径に応じて適宜撓み、ポリ管等を極めて容易に挿入して装着せしめることが出来るものである。
【００２０】
請求項２記載の発明によれば以上の次第で、電線補修用カバ−を構成する保持環の基端部に掛止段部が形成されているから、掛止段部に把持片を掛止せしめることにより保持環とも相まって電線補修用カバ−を間接活線把持工具に確実にセットせしめ、その脱落を有効に防止せしめることが出来るものである。
【００２１】
請求項３記載の発明によれば以上の次第で、請求項１記載の電線補修用カバ−をその保持環でもって間接活線把持工具の把持片に各々外嵌状に保持せしめると共にヒンジの弾性力を利用して略半開状に仮止め保持せしめつつ、シ−ル材を架空配電線に外嵌状に当てがうと共に、把持片を閉作動せしめて両側のカバ−部材を係着部材でもって係着せしめるものとされているから、電線補修用カバ−を間接活線把持工具に簡単に、しかも、確実にセットせしめることが出来るのみならず、係着部材を常に確実に係合して係着せしめることが出来るものであって、電線補修用カバ−の取付け作業を容易に、しかも確実に能率よく行なうことが出来るものである。
【図面の簡単な説明】
【図１】  本発明の一実施例を示す正面図である。
【図２】  図１に示す実施例の平面図である。
【図３】  図１に示す実施例の底面図である。
【図４】  図１に示す実施例の側面図である。
【図５】  実施例の電線補修用カバ−１ｂを間接活線把持工具１４にセットせしめた状態を示す断面図である。
【図６】  実施例の電線補修用カバ−１ｂによる難着雪用架空配電線１８への取付け状態を示す断面図である。
【図７】  実施例の電線補修用カバ−１ｂにポリ管２３を挿入せしめた状態を示す断面図である。
【図８】  本発明の保持環２１を除く構成部分を説明する参考例を示す正面図である。
【図９】  図８に示す保持環２１を除く構成部分を説明する参考例の平面図である。
【図１０】  図８に示す保持環２１を除く構成部分を説明する参考例の底面図である。
【図１１】  図８に示す保持環２１を除く構成部分を説明する参考例の側面図である。
【図１２】  図８に示す保持環２１を除く構成部分を説明する参考例のＡ−Ａ線に沿う断面図である。
【図１３】  図８に示す保持環２１を除く構成部分を説明する参考例のＢ−Ｂ線に沿う断面図である。
【図１４】  保持環２１を除く構成部分を説明する参考例の電線補修用カバ−１ａによる架空配電線１６への取付け状態を示す断面図である。
【図１５】  保持環２１を除く構成部分を説明する参考例の電線補修用カバ−１ａによる難着雪用架空配電線１８への取付け状態を示す拡大断面図である。
【符号の説明】
１ｂ  電線補修用カバ−
２    カバ−部材
３    ヒンジ
４    凸条係合片
６    凹条係合溝
１０  シ−ル材
１１  突片状リブ
１２  略方形体状リブ
１３  嵌合溝
１４  間接活線把持工具
１５  把持片
１６  架空配電線
１８  難着雪用架空配電線
２１  保持環
２２  掛止段部
２３  ポリ管
【図１】
0004272914.tif 000002
【図２】
0004272914.tif 000003
【図３】
0004272914.tif 000004
【図４】
0004272914.tif 000005
【図５】
0004272914.tif 000006
【図６】
0004272914.tif 000007
【図７】
0004272914.tif 000008
【図８】
0004272914.tif 000009
【図９】
0004272914.tif 000010
【図１０】
0004272914.tif 000011
【図１１】
0004272914.tif 000012
【図１２】
0004272914.tif 000013
【図１３】
0004272914.tif 000014
【図１４】
0004272914.tif 000015
【図１５】
0004272914.tif 000016